(57)【要約】【課題】第１店舗で販売される商品について、第１店舗における販売価格と、第２店舗における販売価格との比較結果を簡易に反映できるようにする。【解決手段】ラベルが貼付された印刷媒体に印刷する印刷部３１と、第１店舗で販売される商品に関する情報を記憶する印刷装置記憶部３２と、第１店舗で販売される商品の価格である第１価格、及び、第１店舗で販売され、かつ第２店舗で販売される商品の価格である第２価格を取得する取得部３０ａと、取得部３０ａが取得した第１価格、及び第２価格を比較し、比較結果に基づく情報を印刷部３１によりラベルに印刷させる印刷装置制御部３０と、を備える印刷装置１２。【選択図】図３
2018088032.tif 000002
【特許請求の範囲】
【請求項１】
ラベルが貼付された印刷媒体に印刷する印刷部と、
第１店舗で販売される商品に関する情報を記憶する記憶部と、
前記第１店舗で販売される商品の価格である第１価格、及び、前記第１店舗で販売され
、かつ第２店舗で販売される商品の価格である第２価格を取得する取得部と、
前記取得部が取得した前記第１価格、及び前記第２価格を比較し、比較結果に基づく情
報を前記印刷部により前記ラベルに印刷させる制御部と、を備える印刷装置。
【請求項２】
前記制御部は、
前記第１価格と比較して前記第２価格の方が低い場合は、比較結果に基づく情報として
、前記第２価格を示す情報を前記印刷部により前記ラベルに印刷させる請求項１に記載の
印刷装置。
【請求項３】
前記制御部は、
前記第１価格と比較して前記第２価格の方が低い場合は、比較結果に基づく情報として
、前記第２価格よりも低い価格を示す情報を前記印刷部により前記ラベルに印刷させる請
求項１に記載の印刷装置。
【請求項４】
前記取得部は、
前記第１店舗で販売される商品について、前記第１店舗の店頭で展示されている商品の
個数を示す個数情報を取得し、
前記制御部は、
比較結果に基づく情報を前記印刷部により前記ラベルに印刷させる際、前記取得部が取
得する前記個数情報が示す個数に対応する枚数の前記ラベルを印刷させる請求項１から３
のいずれか一項に記載の印刷装置。
【請求項５】
前記取得部は、
前記第１店舗が営業している時間帯に、前記第１価格、及び、前記第２価格を取得する
請求項１から４のいずれか一項に記載の印刷装置。
【請求項６】
商品マスター、及び、外部装置と接続可能に構成され、
前記取得部は、
前記商品マスターから前記第１価格を取得し、前記外部装置から前記第２価格を取得し
、
前記制御部は、
前記第１価格と前記第２価格との比較結果に基づいて、前記商品マスターに記憶された
前記第１価格を更新する請求項１から５のいずれか一項に記載の印刷装置。
【請求項７】
前記制御部は、
前記第１価格と前記第２価格との比較結果に基づく情報に加えて、前記取得部が前記第
２価格を取得する際に通信した前記外部装置に関する情報を前記印刷部により前記ラベル
に印刷させる請求項６に記載の印刷装置。
【請求項８】
バーコードスキャナーが接続可能に構成され、
前記制御部は、
前記バーコードスキャナーによる商品に関するバーコードの読み取りに応じて、前記バ
ーコードに含まれる商品を識別する商品識別情報を取得し、前記商品識別情報に基づいて
前記商品に関する情報を前記記憶部に記憶させる請求項１から７のいずれか一項に記載の
印刷装置。
【請求項９】
ラベルが貼付された印刷媒体に印刷する印刷部を備える印刷装置の制御方法であって、
第１店舗で販売される商品に関する情報を記憶し、
前記第１店舗で販売される商品の価格である第１価格、及び、前記第１店舗で販売され
、かつ第２店舗で販売される商品の価格である第２価格を取得し、
取得した前記第１価格、及び前記第２価格を比較し、
比較結果に基づく情報を前記印刷部により前記ラベルに印刷する
印刷装置の制御方法。
【請求項１０】
ラベルが貼付された印刷媒体に印刷する印刷部を備える印刷装置と、前記印刷装置と接
続可能な商品マスターと、前記印刷装置と接続可能な外部装置と、を備える印刷システム
であって、
前記印刷装置は、
第１店舗で販売される商品に関する情報を記憶し、
前記第１店舗で販売される商品の価格である第１価格を前記商品マスターから取得し、
前記第１店舗で販売され、かつ第２店舗で販売される商品の価格である第２価格を前記
外部装置から取得し、
取得した前記第１価格、及び前記第２価格を比較し、
比較結果に基づく情報を前記印刷部により前記ラベルに印刷する
印刷システム。
【発明の詳細な説明】
【技術分野】
【０００１】
本発明は、印刷装置、印刷装置の制御方法、及び、印刷システムに関する。
【背景技術】
【０００２】
従来、第１店舗（自店）で販売される商品の販売価格と、第２店舗（他店）で販売され
る商品の販売価格とに比較結果に基づいてクーポンを発行する印刷装置（クーポン出力装
置）が知られている（例えば、特許文献１参照）。
【先行技術文献】
【特許文献】
【０００３】
【特許文献１】特開２０１６−６２３３２号公報
【発明の概要】
【発明が解決しようとする課題】
【０００４】
上述した特許文献１では、第１店舗での販売価格と、第２店舗での販売価格との比較結
果に基づいてクーポンが発行される構成のため、クーポンを渡す対象の特定の顧客に対し
て、各店舗における販売価格の差分を還元できる。しかしながら、特許文献１には、第１
店舗の店頭で展示されて販売される商品に、第１店舗での販売価格と、第２店舗での販売
価格との比較結果を反映する技術について記載はない。
本発明は、上述した事情に鑑みてなされたものであり、第１店舗で販売される商品につ
いて、第１店舗における販売価格と、第２店舗における販売価格との比較結果を簡易に反
映できるようにすることを目的とする。
【課題を解決するための手段】
【０００５】
上記課題を解決するために、本発明の印刷装置は、ラベルが貼付された印刷媒体に印刷
する印刷部と、第１店舗で販売される商品に関する情報を記憶する記憶部と、前記第１店
舗で販売される商品の価格である第１価格、及び、前記第１店舗で販売され、かつ第２店
舗で販売される商品の価格である第２価格を取得する取得部と、前記取得部が取得した前
記第１価格、及び前記第２価格を比較し、比較結果に基づく情報を前記印刷部により前記
ラベルに印刷させる制御部と、を備える。
この構成によれば、印刷装置により、第１店舗で販売される商品の価格と、第２店舗で
販売される商品の価格との比較に基づいて、比較結果に基づく情報が、自動で、ラベルに
印刷される。このため、ラベルを商品に貼付するという簡易な作業を行うだけで、第１店
舗における販売価格と、第２店舗における販売価格との比較結果を簡易に反映できる。
【０００６】
また、前記制御部は、前記第１価格と比較して前記第２価格の方が低い場合は、比較結
果に基づく情報として、前記第２価格を示す情報を前記印刷部により前記ラベルに印刷さ
せる。
この構成によれば、印刷装置は、１の商品について、第１店舗における販売価格よりも
、他の店舗における販売価格の方が低い場合、他の店舗における販売価格を示す情報をラ
ベルに印刷する。このラベルを商品、又は、商品の包装に貼付することにより、当該１の
商品について、他の店舗における販売価格と同一の価格であることを明示でき、また、他
の店舗における販売価格と同一の販売価格で販売できる。
【０００７】
また、前記制御部は、前記第１価格と比較して前記第２価格の方が低い場合は、比較結
果に基づく情報として、前記第２価格よりも低い価格を示す情報を前記印刷部により前記
ラベルに印刷させる。
この構成によれば、印刷装置は、１の商品について、第１店舗における販売価格よりも
、他の店舗における販売価格の方が低い場合、他の店舗における販売価格よりも低い価格
を示す情報をラベルに印刷する。このラベルを商品、又は、商品の包装に貼付することに
より、当該１の商品について、他の店舗における販売価格よりも低い価格であることを明
示でき、また、他の店舗における販売価格よりも低い販売価格で販売できる。
【０００８】
また、前記取得部は、前記第１店舗で販売される商品について、前記第１店舗の店頭で
展示されている商品の個数を示す個数情報を取得し、前記制御部は、比較結果に基づく情
報を前記印刷部により前記ラベルに印刷させる際、前記取得部が取得する前記個数情報が
示す個数に対応する枚数の前記ラベルを印刷させる。
この構成によれば、印刷装置は、第１店舗で展示されている商品の個数に対応する枚数
分のラベルを過不足なく発行できる。
【０００９】
また、前記取得部は、前記第１店舗が営業している時間帯に、前記第１価格、及び、前
記第２価格を取得する。
この構成によれば、不必要に、第１価格、及び、第２価格を取得する処理が実行される
ことを防止できる。
【００１０】
また、商品マスター、及び、外部装置と接続可能に構成され、前記取得部は、前記商品
マスターから前記第１価格を取得し、前記外部装置から前記第２価格を取得し、前記制御
部は、前記第１価格と前記第２価格との比較結果に基づいて、前記商品マスターに記憶さ
れた前記第１価格を更新する。
この構成によれば、第１価格と第２価格との比較結果を、的確に、商品マスターに反映
できる。
【００１１】
また、前記制御部は、前記第１価格と前記第２価格との比較結果に基づく情報に加えて
、前記取得部が前記第２価格を取得する際に通信した前記外部装置に関する情報を前記印
刷部により前記ラベルに印刷させる。
この構成によれば、ラベルを視認する顧客は、ラベルに印刷された情報の根拠を認識す
ることができ、安心感を得ることができる。
【００１２】
また、バーコードスキャナーが接続可能に構成され、前記制御部は、前記バーコードス
キャナーによる商品に関するバーコードの読み取りに応じて、前記バーコードに含まれる
商品を識別する商品識別情報を取得し、前記商品識別情報に基づいて前記商品に関する情
報を前記記憶部に記憶させる。
この構成によれば、ユーザーは、バーコードスキャナーによりバーコードを読み取ると
いう簡易な作業で、商品に関する情報を、記憶部に記憶させることができる。
【００１３】
また、上記課題を解決するために、本発明は、ラベルが貼付された印刷媒体に印刷する
印刷部を備える印刷装置の制御方法であって、第１店舗で販売される商品に関する情報を
記憶し、前記第１店舗で販売される商品の価格である第１価格、及び、前記第１店舗で販
売され、かつ第２店舗で販売される商品の価格である第２価格を取得し、取得した前記第
１価格、及び前記第２価格を比較し、比較結果に基づく情報を前記印刷部により前記ラベ
ルに印刷する。
この構成によれば、印刷装置により、第１店舗で販売される商品の価格と、第２店舗で
販売される商品の価格との比較に基づいて、比較結果に基づく情報が、自動で、ラベルに
印刷される。このため、ラベルを商品に貼付するという簡易な作業を行うだけで、第１店
舗における販売価格と、第２店舗における販売価格との比較結果を簡易に反映できる。
【００１４】
また、上記課題を解決するために、本発明は、ラベルが貼付された印刷媒体に印刷する
印刷部を備える印刷装置と、前記印刷装置と接続可能な商品マスターと、前記印刷装置と
接続可能な外部装置と、を備える印刷システムであって、前記印刷装置は、第１店舗で販
売される商品に関する情報を記憶し、前記第１店舗で販売される商品の価格である第１価
格を前記商品マスターから取得し、前記第１店舗で販売され、かつ第２店舗で販売される
商品の価格である第２価格を前記外部装置から取得し、取得した前記第１価格、及び前記
第２価格を比較し、比較結果に基づく情報を前記印刷部により前記ラベルに印刷する。
この構成によれば、印刷装置により、第１店舗で販売される商品の価格と、第２店舗で
販売される商品の価格との比較に基づいて、比較結果に基づく情報が、自動で、ラベルに
印刷される。このため、ラベルを商品に貼付するという簡易な作業を行うだけで、第１店
舗における販売価格と、第２店舗における販売価格との比較結果を簡易に反映できる。
【図面の簡単な説明】
【００１５】
【図１】本実施形態に係る印刷システムの構成を示す図。
【図２】ラベルを示す図。
【図３】印刷システムの各装置の機能的構成を示すブロック図。
【図４】価格管理データベースの内容を示す図。
【図５】印刷装置の動作を示すフローチャート。
【図６】印刷装置の動作を示すフローチャート。
【図７】印刷装置、ＰＯＳサーバー、価格管理サーバーの動作を示すフローチャート。
【図８】印刷装置、ＰＯＳサーバーの動作を示すフローチャート。
【図９】ラベルに印刷される情報を示す図。
【発明を実施するための形態】
【００１６】
以下、図面を参照して本発明の実施形態について説明する。
【００１７】
以下、図面を参照して本発明の実施形態について説明する。
図１は、本実施形態に係る印刷システム１の構成を示す図である。
図１に示すように、印刷システム１は、家電量販店や、スーパーマーケット、デパート
等の店舗に設けられた店舗システム１１を備える。店舗は、商品が提供される施設であれ
ばよい。
店舗システム１１が適用される店舗には、店舗の店員等の店舗の関係者が入室可能な管
理室が設けられる。管理室には、印刷装置１２が設けられる。印刷装置１２は、ラベルＲ
１が貼付されたラベル用紙Ｒを収容し、ラベル用紙Ｒに貼付されたラベルＲ１に画像を印
刷可能な装置である。店舗に複数の管理室が設けられる場合（例えば、店舗に複数のフロ
アーが存在し、フロアーごとに管理室が設けられる場合）、複数の管理室に印刷装置１２
が設けられてもよい。また、１つの管理室に複数の印刷装置１２が設けられてもよい。
【００１８】
図２は、印刷装置１２に収容されるラベル用紙Ｒを示す図である。
図２で示すラベル用紙Ｒは、帯状の剥離紙Ｒ２に、間隔をあけて複数のラベルＲ１が貼
付された用紙である。ラベルＲ１の裏面は、シールとなっており、ラベルＲ１は枠に沿っ
て剥離紙Ｒ２から取り剥がすことができる。ラベルＲ１の長手方向の長さは一定である。
また、隣接するラベルＲ１の間隔は一定である。
印刷装置１２は、連続する複数のラベルＲ１に、連続して画像を印刷することができる
。
【００１９】
図１に示すように、店舗システム１１は、ローカルネットワークＬＮを備える。ローカ
ルネットワークＬＮには、店舗に設けられた各種機器のほか、印刷装置１２、及び、ＰＯ
Ｓサーバー１３が接続される。ＰＯＳサーバー１３は、店舗で販売される商品のマスター
である商品マスター１３ａ（図３）、及び、店舗で販売される商品の在庫を管理する在庫
管理データベース１３ｂ（図３）を記憶するサーバー装置である。商品マスター１３ａ、
及び、在庫管理データベース１３ｂについては後述する。
また、ローカルネットワークＬＮには、通信装置１４が接続される。通信装置１４は、
ローカルネットワークＬＮと、インターネット、電話網、その他の通信網を含むグローバ
ルネットワークＧＮとを接続するインターフェース装置である。通信装置１４は、モデム
（又は、ＯＮＵ（Optical Network Unit））に係る機能、ルーター機能、ＮＡＴ（Networ
k Address Translation）機能、及び、ＤＨＣＰ（Dynamic Host Configuration Protocol
）サーバー機能等を有する。通信装置１４は、ローカルネットワークＬＮに接続された機
器と、グローバルネットワークＧＮに接続された機器との間で行われる通信に際し、機器
間で送受信されるデータを転送する。なお、図１では、通信装置１４を１つのブロックで
表現するが、通信装置１４は、機能に応じた複数の装置を有する構成でもよい。
印刷装置１２は、通信装置１４を介して、グローバルネットワークＧＮにアクセス可能
である。
【００２０】
グローバルネットワークＧＮには、価格管理サーバー１５（外部装置）が接続される。
価格管理サーバー１５は、外部の装置からのアクセスに応じて、商品の価格に関する情
報を提供するサーバー装置である。価格管理サーバー１５には、複数のＷｅｂＡＰＩ（Ap
plication Programming Interface）が登録される。そして、価格管理サーバー１５は、
外部の装置からの要求に応じて、価格管理データベース４２ａ（後述）に基づいて、登録
されたＷｅｂＡＰＩにより処理を行って、要求された商品の価格に関する情報を提供する
ことができる。価格管理サーバー１５の具体的な処理については、後に例を挙げて説明す
る。なお、図１では、価格管理サーバー１５を、１つのブロックによって表現するが、こ
れは価格管理サーバー１５が単一のサーバー装置により構成されることを意味するもので
はない。例えば、価格管理サーバー１５は、複数のサーバー装置を含んで構成されたもの
でもよい。すなわち、価格管理サーバー１５は、後述する各種処理を実行可能な構成であ
れば、その形態を問わない。
【００２１】
図３は、印刷システム１が備える各装置の機能的構成を示すブロック図である。
【００２２】
印刷装置１２は、ラベル用紙Ｒを収容し、収容したラベル用紙Ｒのラベルにサーマルヘ
ッドでドットを形成して画像を印刷するサーマルプリンターである。なお、本実施形態に
係る印刷装置１２の印刷方式はサーマル方式であるが、印刷装置１２の印刷方式は、サー
マル方式に限らず、インクジェット方式等の他の印刷方式でもよい。また、印刷装置１２
の印刷ヘッドは、ライン型に限らず、シリアル型でもよい。
図３に示すように、印刷装置１２は、印刷装置制御部３０（制御部）と、印刷部３１と
、印刷装置記憶部３２（記憶部）と、印刷装置ローカルネットワーク通信部３３と、印刷
装置グローバルネットワーク通信部３４と、デバイス通信部３５と、を備える。
【００２３】
印刷装置制御部３０は、ＣＰＵや、ＲＯＭ、ＲＡＭ、ＡＳＩＣ、信号処理回路等を備え
、印刷装置１２の各部を制御する。印刷装置制御部３０は、例えばＣＰＵが、ＲＯＭに記
憶されたプログラムをＲＡＭに読み出して処理を実行し、また例えばＡＳＩＣに実装され
た機能により処理を実行し、また例えば信号処理回路で信号処理を行って処理を実行する
等、ハードウェアとソフトウェアとの協働で処理を実行する。
印刷装置制御部３０は、機能ブロックとして、取得部３０ａを備える。取得部３０ａは
、ＣＰＵが、ＲＯＭに記憶されたプログラムをＲＡＭに読み出して処理を実行する等、ハ
ードウェアとソフトウェアとの協働で処理を実行する。取得部３０ａの処理については後
述する。
【００２４】
印刷部３１は、印刷装置１２の筐体に収容されたロール紙を搬送する搬送機構や、サー
マルヘッドによってロール紙にドットを形成して画像を印刷する印刷機構、ロール紙を所
定の位置で切断する切断機構等のロール紙への印刷に関する各種機構を備える。
【００２５】
印刷装置記憶部３２は、不揮発性メモリーを備え、各種データを記憶する。印刷装置記
憶部３２は、対象商品管理データベース３２ａを記憶する。対象商品管理データベース３
２ａについては後述する。
【００２６】
印刷装置ローカルネットワーク通信部３３は、印刷装置制御部３０の制御で、ローカル
ネットワークＬＮと接続する機器（ＰＯＳサーバー１３を含む。）と所定の通信規格（イ
ーサネット（登録商標）等。）に従って通信する。
【００２７】
印刷装置グローバルネットワーク通信部３４は、印刷装置制御部３０の制御で、グロー
バルネットワークＧＮと接続する機器（価格管理サーバー１５を含む。）と所定の通信規
格に従って通信する。印刷装置グローバルネットワーク通信部３４は、少なくとも、ＨＴ
ＴＰ（Hypertext Transfer Protocol）に従って、価格管理サーバー１５と通信可能であ
る。
【００２８】
デバイス通信部３５は、ＵＳＢの規格に従ったポートや、ＵＳＢ以外のシリアル通信規
格（ＲＳ２３２Ｃ等。）に従ったポート、パラレル通信規格（ＩＥＥＥ１２８４等。）に
従ったポート等を有するインターフェースボードを備える。各ポートには、デバイスが接
続可能である。デバイス通信部３５は、印刷装置制御部３０の制御で、インターフェース
ボードのポートに接続されたデバイスと通信する。
なお、デバイス通信部３５が、無線通信機能を備え、デバイスと無線通信する構成でも
よい。
印刷装置１２には、デバイスとして、バーコードスキャナーＢＲが接続される。バーコ
ードスキャナーＢＲは、バーコードを光学的に読み取り、読取結果に基づく情報をデバイ
ス通信部３５に出力する。デバイス通信部３５は、バーコードスキャナーＢＲから入力さ
れた情報を、印刷装置制御部３０に出力する。
【００２９】
ＰＯＳサーバー１３は、ローカルネットワークＬＮと接続するサーバー装置である。
図３に示すように、ＰＯＳサーバー１３は、商品マスター１３ａ、及び、在庫管理デー
タベース１３ｂを記憶する。商品マスター１３ａ、及び、在庫管理データベース１３ｂに
ついては後述する。
【００３０】
価格管理サーバー１５は、グローバルネットワークＧＮと接続するサーバー装置である
。図３に示すように、価格管理サーバー１５は、サーバー制御部４０と、サーバーグロー
バルネットワーク通信部４１と、サーバー記憶部４２とを備える。
【００３１】
サーバー制御部４０は、ＣＰＵや、ＲＯＭ、ＲＡＭ、ＡＳＩＣ、信号処理回路等を備え
、価格管理サーバー１５の各部を制御する。サーバー制御部４０は、例えばＣＰＵが、Ｒ
ＯＭに記憶されたプログラムをＲＡＭに読み出して処理を実行し、また例えばＡＳＩＣに
実装された機能により処理を実行し、また例えば信号処理回路で信号処理を行って処理を
実行する等、ハードウェア及びソフトウェアにより処理を実行する。
【００３２】
サーバーグローバルネットワーク通信部４１は、サーバー制御部４０の制御で、グロー
バルネットワークＧＮと接続する機器（印刷装置１２を含む。）と所定の通信規格に従っ
て通信する。
サーバー記憶部４２は、不揮発性メモリーを備え、各種データを記憶する。サーバー記
憶部４２は、価格管理データベース４２ａを記憶する。価格管理データベース４２ａにつ
いては後述する。
【００３３】
次に、価格管理サーバー１５の機能、及び、機能に基づく処理について説明する。
価格管理サーバー１５は、価格管理データベース４２ａを更新する機能を有する。
【００３４】
図４は、価格管理データベース４２ａの内容を模式的に示す図である。
価格管理データベース４２ａは、商品ごとに、商品を識別する商品識別情報Ｊ１と対応
付けて、複数の店舗における商品の販売価格を記憶するデータベースである。本実施形態
では、価格管理データベース４２ａにより商品の販売価格が管理される複数の店舗として
、Ａ店、Ｂ店、Ｃ店、Ｄ店、及びＥ店の５つの店舗があるものとする。また、Ａ店〜Ｅ店
のうち、Ａ店が、本実施形態に係る店舗システム１１が適用された店舗であるものとする
。この場合、Ａ店は「第１店舗」に相当し、Ｂ店〜Ｅ店は「第２店舗」に相当する。また
、Ａ店〜Ｅ店のそれぞれの店舗は、店舗を経営する会社が異なっているものとする。また
、Ａ店〜Ｅ店のそれぞれの店舗は、店舗を経営する会社の中心的な店舗（例えば、旗艦店
。）であり、系列店の中で商品を最も低い価格で販売することが想定された店舗であるも
のとする。
【００３５】
なお、本実施形態では、商品識別情報Ｊ１は、Ａ店〜Ｅ店において、商品の識別に統一
的に用いられる商品コードである。一般に、商品コードは、商品や、商品の包装に付され
るバーコードに記録される。
【００３６】
価格管理データベース４２ａは、Ａ店〜Ｅ店で販売される商品のそれぞれに対応するレ
コードを有する。なお、Ａ店〜Ｅ店で販売される全ての商品について、価格管理データベ
ース４２ａにレコードが登録される必要は無い。
図４に示すように、価格管理データベース４２ａにおいて、１の商品に対応するレコー
ドは、当該１の商品を識別する商品識別情報Ｊ１と、Ａ店における当該１の商品の販売価
格を示すＡ店販売価格情報ＪＡと、Ｂ店における当該１の商品の販売価格を示すＢ店販売
価格情報ＪＢと、Ｃ店における当該１の商品の販売価格を示すＣ店販売価格情報ＪＣと、
Ｄ店における当該１の商品の販売価格を示すＤ店販売価格情報ＪＤと、Ｅ店における当該
１の商品の販売価格を示すＥ店販売価格情報ＪＥとを対応付けて記憶する。以下、Ａ店販
売価格情報ＪＡ、Ｂ店販売価格情報ＪＢ、Ｃ店販売価格情報ＪＣ、Ｄ店販売価格情報ＪＤ
、及びＥ店販売価格情報ＪＥを区別しない場合、「店舗販売価格情報」という。１の店舗
において、１の商品が販売されない場合、当該１の店舗の当該１の商品に対応する店舗販
売価格情報は、ヌル値とされる。
【００３７】
価格管理サーバー１５は、適宜、価格管理データベース４２ａを更新する。詳述すると
、グローバルネットワークＧＮには、Ａ店〜Ｅ店で販売される商品について、問い合せに
応じて、各店舗での販売価格を示す情報を応答するサーバー装置（以下、「価格応答サー
バー」という。）が接続される。価格応答サーバーは、各店舗を経営する会社が提供する
サーバー装置でもよく、各店舗を経営する会社とは関係のない主体が提供するサーバー装
置でもよい。本実施形態では、Ａ店〜Ｅ店ごとに、問い合せに応じて、各店舗で販売され
る商品の販売価格を示す情報を応答する価格応答サーバーが、グローバルネットワークＧ
Ｎに接続されているものとする。
価格管理サーバー１５のサーバー制御部４０は、間隔をあけて定期的に、価格管理デー
タベース４２ａで管理される商品について、価格応答サーバーのそれぞれに、各店舗にお
ける販売価格を問い合わせ、問い合せに対する応答に基づいて、各店舗における販売価格
を示す情報を取得する。サーバー制御部４０は、取得した各商品の各店舗における販売価
格を示す情報に基づいて、価格管理データベース４２ａの各レコードの店舗販売価格情報
の値を更新する。
また、価格管理サーバー１５をメンテナンスするメンテナンサーは、所定の方法で、価
格管理データベース４２ａの内容を更新することができる。メンテナンサーは、必要に応
じて、適宜、価格管理データベース４２ａの内容を更新する。
この結果、価格管理データベース４２ａの内容は、各店舗において販売される商品の最
新の販売価格を反映した状態が維持される。
【００３８】
また、価格管理サーバー１５には、ＷｅｂＡＰＩとして、問い合せに応じて、１の商品
のＡ店〜Ｅ店における販売価格のうち、指定された店舗を除く店舗のうち、最も低い販売
価格を示す情報を応答するＷｅｂＡＰＩが少なくとも登録される。以下、便宜的に、当該
ＷｅｂＡＰＩを、ＷｅｂＡＰＩ「ＬｏｗＰｒｉｃｅ」と表現する。
クライアントは、ＷｅｂＡＰＩ「ＬｏｗＰｒｉｃｅ」に対応するＨＴＴＰリクエストを
生成し、生成したＨＴＴＰリクエストを価格管理サーバー１５に送信することにより、１
の商品のＢ店〜Ｅ店における販売価格のうち、最も低い販売価格を示す情報を取得するこ
とができる。
クライアントが送信するＷｅｂＡＰＩ「ＬｏｗＰｒｉｃｅ」に係るＨＴＴＰリクエスト
について、リクエスト行のメソッドは「ＧＥＴ」である。また、ＨＴＴＰリクエストのリ
クエスト行には、パス名として価格管理サーバー１５の所定のＵＲＬが記述されると共に
、ＷｅｂＡＰＩ「ＬｏｗＰｒｉｃｅ」を指定する情報がＨＴＴＰのルールに従って記述さ
れる。また、リクエスト行には、クエリーパラメーターとして、ＷｅｂＡＰＩ「ＬｏｗＰ
ｒｉｃｅ」にパラメーターとして受け渡す商品識別情報Ｊ１、及び、店舗を識別する識別
情報（以下、「店舗識別情報」という。）が、ＨＴＴＰのルールに従って記述される。後
に明らかになるとおり、価格管理サーバー１５は、クエリーパラメーターとして記述され
た店舗識別情報の店舗以外の店舗における販売価格のうち、最も低い販売価格を応答する
。
【００３９】
価格管理サーバー１５のサーバー制御部４０は、クライアントから、ＷｅｂＡＰＩ「Ｌ
ｏｗＰｒｉｃｅ」に対応するＨＴＴＰリクエストを受信すると、ＷｅｂＡＰＩ「ＬｏｗＰ
ｒｉｃｅ」の機能により、以下の処理を実行する。すなわち、サーバー制御部４０は、Ｈ
ＴＴＰリクエストにクエリーパラメーターとして記述された商品識別情報Ｊ１、及び、店
舗識別情報を取得する。次いで、サーバー制御部４０は、価格管理データベース４２ａを
参照し、当該データベースが有するレコードのうち、取得した商品識別情報Ｊ１の値と同
一の値の商品識別情報Ｊ１を有するレコードを特定する。次いで、サーバー制御部４０は
、特定したレコードが有する店舗販売価格情報（本例では、Ａ店販売価格情報〜Ｅ店販売
価格情報。）のうち、クエリーパラメーターとして記述された店舗識別情報の店舗以外の
店舗販売価格情報を取得する。例えば、ＨＴＴＰリクエストにクエリーパラメーターとし
て、Ａ店を識別する店舗識別情報が記述されている場合、サーバー制御部４０は、Ａ店以
外のＢ店〜Ｅ店の店舗販売価格情報であるＢ店販売価格情報、Ｃ店販売価格情報、Ｄ店販
売価格情報、及びＥ店販売価格情報を取得する。なお、サーバー制御部４０は、価格管理
データベース４２ａの各レコードにおける店舗販売価格情報と、店舗識別情報との対応関
係を管理する。次いで、サーバー制御部４０は、取得した店舗販売価格情報の値を比較し
、最も低い値の店舗販売価格情報を特定する。次いで、サーバー制御部４０は、特定した
店舗販売価格情報が記述されたＪＳＯＮ（JavaScript（登録商標） Object Notation）形
式のデータ（以下、「応答データ」という。）を生成し、生成した応答データをＨＴＴＰ
レスポンスでクライアントに応答する。
【００４０】
以上のように、クライアントは、ＷｅｂＡＰＩ「ＬｏｗＰｒｉｃｅ」を用いて、１の商
品のＡ店〜Ｅ店における販売価格のうち、指定した特定の店舗の販売価格を除き、最も低
い販売価格を示す情報を取得することができる。
【００４１】
次に、印刷装置１２の動作について説明する。
ここで、本実施形態に係る店舗システム１１が適用された店舗（本例では、Ａ店。）で
は、以下のキャンペーンが行われているものとする。
すなわち、Ａ店では、販売する商品のうち、複数の目玉商品について、Ｂ店〜Ｅ店にお
ける販売価格以下の販売価格にて販売するキャンペーンが行われているものとする。当該
キャンペーンにより、顧客の来店意欲、及び、顧客の購買意欲を促進することができる。
このようなキャンペーンが行われる場合、従来、Ａ店において、以下の運用が行われて
いた。すなわち、Ａ店の店員は、随時、他の店舗（本例では、Ｂ店〜Ｅ店。）における目
玉商品の販売価格を調査し、他の店舗における販売価格を把握する。また、店員は、顧客
からの情報提供に基づいて、他の店舗における販売価格を把握する。この場合、顧客は、
自ら、他の店舗における販売価格を所定の方法で調査する必要がある。そして、Ａ店の店
員は、目玉商品について、Ａ店における販売価格よりも、他の店舗における販売価格の方
が低い場合は、Ａ店における販売価格が、他の店舗における販売価格以下となるように調
整し、店頭で展示された商品の値札を手作業により書き換え、目玉商品の店舗における販
売価格を顧客に提示していた。この場合、店員の作業が煩雑であり、店員の負担が大きか
った。
以上を踏まえ、本実施形態に係る印刷装置１２は、以下の処理を実行する。
【００４２】
なお、以下の印刷装置１２の動作の説明について、以下のことを前提とする。
すなわち、本実施形態に係る店舗システム１１が適用された店舗（Ａ店）は、所定の営
業開始時刻（例えば、午前１０：００）から、所定の営業終了時刻（例えば、午後８：０
０）までの期間が、営業している時間帯である。そして、印刷装置１２は、営業開始時刻
の前の所定のタイミングで電源がオンされる。さらに、印刷装置１２の電源がオンされた
後、営業開始時刻となる前に、印刷装置１２への目玉商品の登録が行われる。
【００４３】
印刷装置１２への目玉商品の登録は、以下の方法で行われる。すなわち、店員は、目玉
商品のそれぞれについて、商品識別情報Ｊ１が記録されたバーコードを準備する。本実施
形態では、商品識別情報Ｊ１は、商品や、商品の包装に付されたバーコードに記録される
商品コードである。従って、店員は、例えば、商品コードが記録されたバーコードが付さ
れた商品や、商品の包装を準備することによって、商品識別情報Ｊ１が記録されたバーコ
ードを準備する。
【００４４】
次いで、店員は、印刷装置１２に接続されたバーコードスキャナーＢＲにより、準備し
たバーコードのそれぞれを、順次、読み取る。
バーコードスキャナーＢＲによるバーコードの読み取りに応じて、デバイス通信部３５
は、バーコードスキャナーＢＲによる読取結果に基づく商品識別情報Ｊ１を印刷装置制御
部３０に出力する。印刷装置制御部３０は、デバイス通信部３５から入力された商品識別
情報Ｊ１を取得する。印刷装置制御部３０は、取得した商品識別情報Ｊ１を、印刷装置記
憶部３２が記憶する対象商品管理データベース３２ａに追加的に登録する。追加的に登録
するとは、対象商品管理データベース３２ａに既に登録された商品識別情報Ｊ１を削除す
ることなく、商品識別情報Ｊ１を追加して登録することを意味する。
この結果、営業開始時刻の前に、印刷装置１２の対象商品管理データベース３２ａに、
目玉商品のそれぞれについて、商品識別情報Ｊ１が登録された状態となる。
以上のように、店員は、バーコードスキャナーＢＲによりバーコードを読み取る、とい
う簡易な作業を行うことにより、目玉商品の登録を行うことができる。
【００４５】
なお、対象商品管理データベース３２ａに登録された商品識別情報Ｊ１は、「記憶部に
記憶された、第１店舗で販売される商品に関する情報」に相当する。
【００４６】
図５のフローチャートＦＡは、印刷装置１２の動作を示すフローチャートである。印刷
装置１２は、電源がオンされたことをトリガーとして、フローチャートＦＡが示す処理を
実行する。従って、フローチャートＦＡの開始時点は、営業開始時刻の前の時点である。
図５のフローチャートＦＡに示すように、印刷装置１２の印刷装置制御部３０は、現在
の時刻が、営業開始時刻に至ったか否かを監視する（ステップＳＡ１）。
現在の時刻が、営業開始時刻に至った場合（ステップＳＡ１：ＹＥＳ）、印刷装置制御
部３０は、対応処理を実行する（ステップＳＡ２）。対応処理の詳細については、後述す
る。
対応処理を実行した後、印刷装置制御部３０は、対応処理を実行するタイミングが到来
したか否かを監視しつつ（ステップＳＡ３）、現在の時刻が営業終了時刻に至ったか否か
を監視する（ステップＳＡ４）。
ここで、印刷装置制御部３０は、現在の時刻が営業開始時刻に至ったことをトリガーと
して対応処理を実行した後、所定の間隔をあけて定期的に対応処理を実行する。ステップ
ＳＡ３において、印刷装置制御部３０は、直近で実行した対応処理のタイミングから、所
定の間隔が経過した場合、対応処理を実行するタイミングが到来したと判別する。所定の
間隔は、ユーザーが所定の手段で設定することができる。所定の間隔は、例えば１分であ
り、また例えば３０分である。
現在の時刻が営業終了時刻に至る前に（ステップＳＡ４：ＮＯ）、対応する処理を実行
するタイミングが到来した場合（ステップＳＡ３：ＹＥＳ）、印刷装置制御部３０は、処
理手順をステップＳＡ２へ戻し、対応処理を実行する。
一方、現在の時刻が営業終了時刻に至った場合（ステップＳＡ４：ＹＥＳ）、印刷装置
制御部３０は、処理を終了する。
このように、印刷装置制御部３０は、営業開始時刻から、営業終了時刻に至るまでの期
間（＝第１の店舗が営業している時間帯）、間隔をあけて定期的に対応処理を実行する。
【００４７】
図６のフローチャートＦＢは、対応処理の詳細を示すフローチャートである。
図６のフローチャートＦＢに示すように、対応処理において、印刷装置制御部３０は、
価格管理データベース４２ａに商品識別情報Ｊ１が登録された目玉商品のうち、未だ、ス
テップＳＢ２以下の処理の処理対象としていない目玉商品を、ステップＳＢ２以下の処理
の処理対象として決定する（ステップＳＢ１）。以下、ステップＳＢ１において、処理対
象とすることを決定した目玉商品を「処理対象商品」と表現する。後に明らかとなるとお
り、印刷装置制御部３０は、目玉商品を、順次、処理対象商品として決定し、ステップＳ
Ｂ２以下の処理の処理対象とする。そして、全ての目玉商品を処理対象として、ステップ
ＳＢ２以下の処理を実行した後、対応処理を終了する。
【００４８】
ステップＳＢ１の処理後、印刷装置１２の取得部３０ａは、価格取得処理を実行する（
ステップＳＢ２）。
【００４９】
図７は、印刷装置１２が価格取得処理を実行するときの、印刷装置１２、ＰＯＳサーバ
ー１３、及び、価格管理サーバー１５の動作を示すフローチャートである。図７において
、フローチャートＦＣは、価格取得処理を実行するときの印刷装置１２の動作を示し、フ
ローチャートＦＤは、ＰＯＳサーバー１３の動作を示し、フローチャートＦＥは、価格管
理サーバー１５の動作を示す。
【００５０】
図７のフローチャートＦＣに示すように、対応処理において、まず、印刷装置１２の取
得部３０ａは、印刷装置ローカルネットワーク通信部３３を制御して、処理対象商品のＡ
店における販売価格を問い合わせる制御コマンドをＰＯＳサーバー１３に送信する（ステ
ップＳＣ１）。制御コマンドは、所定の命令コードと、処理対象商品の商品識別情報Ｊ１
とを含み、商品識別情報Ｊ１に対応する商品（＝処理対象商品）の販売価格を示す情報の
応答を要求するコマンドである。
【００５１】
図７のフローチャートＦＤに示すように、ＰＯＳサーバー１３は、制御コマンドを受信
する（ステップＳＤ１）。
次いで、ＰＯＳサーバー１３は、受信した制御コマンドに基づいて、商品マスター１３
ａを参照し、処理対象商品のＡ店における販売価格を示す情報を取得する（ステップＳＤ
２）。詳述すると、商品マスター１３ａは、Ａ店で販売される商品のそれぞれに対応する
レコードを有する。商品マスター１３ａの各レコードは、対応する商品の商品識別情報Ｊ
１と、対応する商品のＡ店における販売価格を示す情報とを対応付けて記憶する。ステッ
プＳＤ２において、ＰＯＳサーバー１３は、商品マスター１３ａを参照し、処理対象商品
に対応するレコードを特定し、特定したレコードが有する販売価格を示す情報を取得する
。
以下、処理対象商品のＡ店における販売価格を示す情報を、「Ａ店販売価格情報」とい
う。
【００５２】
次いで、ＰＯＳサーバー１３は、ステップＳＤ２で取得したＡ店販売価格情報を、印刷
装置１２に送信する（ステップＳＤ３）。
【００５３】
図７のフローチャートＦＣに示すように、印刷装置１２の取得部３０ａは、印刷装置ロ
ーカルネットワーク通信部３３を制御して、Ａ店販売価格情報を受信する（ステップＳＣ
２）。
次いで、取得部３０ａは、受信したＡ店販売価格情報を取得する（ステップＳＣ３）。
【００５４】
次いで、取得部３０ａは、ＷｅｂＡＰＩ「ＬｏｗＰｒｉｃｅ」に対応するＨＴＴＰリク
エストを生成する（ステップＳＣ４）。ステップＳＣ４で生成されるＨＴＴＰリクエスト
のクエリーパラメーターには、処理対象商品の商品識別情報Ｊ１、及び、Ａ店の店舗識別
情報（以下、「Ａ店識別情報」という。）が記述される。
【００５５】
次いで、取得部３０ａは、印刷装置グローバルネットワーク通信部３４を制御して、ス
テップＳＣ４で生成したＨＴＴＰリクエストをＨＴＴＰに従って価格管理サーバー１５に
送信する（ステップＳＣ５）。
【００５６】
図７のフローチャートＦＥに示すように、価格管理サーバー１５のサーバー制御部４０
は、サーバーグローバルネットワーク通信部４１を制御して、ＨＴＴＰリクエストを受信
する（ステップＳＥ１）。
次いで、サーバー制御部４０は、ステップＳＥ１で受信したＨＴＴＰリクエストに基づ
いて、ＷｅｂＡＰＩ「ＬｏｗＰｒｉｃｅ」の機能により、処理対象商品のＢ店〜Ｅ店（Ａ
店を除く店舗）における販売価格のうち、最も低い販売価格を示す情報を取得する（ステ
ップＳＥ２）。
以下、処理対象商品のＢ店〜Ｅ店における販売価格のうち、最も低い販売価格を示す情
報を、「最安販売価格情報」という。
最安販売価格情報は、「第２店舗で販売される商品の価格である第２価格」に相当する
。
次いで、サーバー制御部４０は、最安販売価格情報が記述されたＪＳＯＮ形式の応答デ
ータを生成する（ステップＳＥ３）。
次いで、サーバー制御部４０は、サーバーグローバルネットワーク通信部４１を制御し
て、ステップＳＥ３で生成した応答データを、ＨＴＴＰレスポンスで印刷装置１２に送信
する（ステップＳＥ４）。
【００５７】
図７のフローチャートＦＣに示すように、印刷装置１２に取得部３０ａは、印刷装置グ
ローバルネットワーク通信部３４を制御して、応答データを受信する（ステップＳＣ６）
。
次いで、取得部３０ａは、受信した応答データに記述された最安販売価格情報を取得し
（ステップＳＣ７）、価格取得処理を終了する。
【００５８】
図６のフローチャートＦＢに示すように、取得部３０ａが価格取得処理を実行した後、
印刷装置１２の印刷装置制御部３０は、取得部３０ａが取得したＡ店販売価格情報と、取
得部３０ａが取得した最安販売価格情報とを比較する（ステップＳＢ３）。
次いで、印刷装置制御部３０は、最安販売価格情報の値の方が、Ａ店販売価格情報の値
よりも低いか否かを判別する（ステップＳＢ４）。「最安販売価格情報の値の方が、Ａ店
販売価格情報の値よりも低い」とは、「（最安販売価格情報の値）＜（Ａ店販売価格情報
の値）」の関係にあることを意味し、最安販売価格情報の値とＡ店販売価格情報の値とが
同一の場合を含まない。
【００５９】
最安販売価格情報の値の方が、Ａ店販売価格情報の値よりも低くない場合（「（最安販
売価格情報の値）≧（Ａ店販売価格情報の値）」の場合。）（ステップＳＢ４：ＮＯ）、
印刷装置制御部３０は、対応処理を終了する。最安販売価格情報の値の方が、Ａ店販売価
格情報の値よりも低くない場合、処理対象商品について、Ａ店の販売価格が、他の店舗（
Ｂ店〜Ｅ店）の販売価格と比して、最も低い。
【００６０】
最安販売価格情報の値の方が、Ａ店販売価格情報の値よりも低い場合（「（最安販売価
格情報の値）＜（Ａ店販売価格情報の値）」の場合。）（ステップＳＢ４：ＹＥＳ）、取
得部３０ａは、個数情報取得処理を実行する（ステップＳＢ５）。
【００６１】
図８は、印刷装置１２が個数情報取得処理を実行するときの、印刷装置１２、及び、Ｐ
ＯＳサーバー１３の動作を示すフローチャートである。図８において、フローチャートＦ
Ｆは、個数情報取得処理を実行するときの印刷装置１２の動作を示し、フローチャートＦ
Ｇは、ＰＯＳサーバー１３の動作を示す。
【００６２】
図８のフローチャートＦＦに示すように、個数情報取得処理において、まず、印刷装置
１２の取得部３０ａは、印刷装置ローカルネットワーク通信部３３を制御して、以下の制
御コマンドをＰＯＳサーバー１３に送信する（ステップＳＦ１）。制御コマンドは、所定
の命令コードと、処理対象商品の商品識別情報Ｊ１とを含み、商品識別情報Ｊ１に対応す
る商品（＝処理対象商品）について、Ａ店の店頭で展示されている個数を示す情報の応答
を要求するコマンドである。「商品が店舗の店頭で展示されている」とは、顧客が認識可
能な状態で店舗に陳列された状態をいう。
以下、Ａ店の店頭で展示されている処理対象商品の個数を示す情報を「個数情報」とい
う。
【００６３】
図８のフローチャートＦＧに示すように、ＰＯＳサーバー１３は、制御コマンドを受信
する（ステップＳＧ１）。
次いで、ＰＯＳサーバー１３は、受信した制御コマンドに基づいて、在庫管理データベ
ース１３ｂを参照し、処理対象商品の個数情報を取得する（ステップＳＧ２）。詳述する
と、在庫管理データベース１３ｂは、Ａ店で販売される商品のそれぞれに対応するレコー
ドを有する。在庫管理データベース１３ｂの各レコードは、対応する商品の商品識別情報
Ｊ１と、対応する商品の個数情報（対応する商品がＡ店の店頭で展示されている個数を示
す情報）とを対応付けて記憶する。ステップＳＧ２において、ＰＯＳサーバー１３は、商
品マスター１３ａを参照し、処理対象商品に対応するレコードを特定し、特定したレコー
ドが有する販売価格を示す情報を取得する。
なお、在庫管理データベース１３ｂの内容は、ＰＯＳに関する既存の技術により、適宜
、適切に更新される。
【００６４】
次いで、ＰＯＳサーバー１３は、ステップＳＧ２で取得した個数情報を、印刷装置１２
に送信する（ステップＳＧ３）。
【００６５】
図８のフローチャートＦＦに示すように、印刷装置１２の取得部３０ａは、印刷装置ロ
ーカルネットワーク通信部３３を制御して、個数情報を受信する（ステップＳＦ２）。
次いで、取得部３０ａは、受信した個数情報を取得し（ステップＳＦ３）、個数情報取
得処理を終了する。
【００６６】
図６のフローチャートＦＢに示すように、取得部３０ａが個数情報取得処理を実行した
後、印刷装置制御部３０は、処理対象商品の販売価格について、販売価格が、Ｂ店〜Ｅ店
における販売価格以下となるように、販売価格を変更する（ステップＳＢ６）。
処理対象商品の販売価格の変更は、事前の設定に基づいて行われる。すなわち、処理対
象商品の販売価格を、最安販売価格情報の値と同一とする旨の設定がなされている場合、
印刷装置制御部３０は、処理対象商品の販売価格を、最安販売価格情報の値とする。
また、処理対象商品の販売価格を、最安販売価格情報の値よりもｎ％低くする旨の設定
がなされている場合、印刷装置制御部３０は、処理対象商品の販売価格を、最安販売価格
情報の値よりもｎ％低い値とする。
いずれの設定であっても、処理対象商品の販売価格は、Ａ店以外の店舗における販売価
格以下となる。
以下、処理対象商品の変更後の販売価格を「変更後販売価格」といい、変更後販売価格
を示す情報を「変更後販売価格情報」という。
【００６７】
次いで、印刷装置制御部３０は、印刷部３１を制御して、ラベルＲ１に、処理対象商品
の販売価格に関する情報を印刷させる（ステップＳＢ７）。
ステップＳＢ７の処理について詳述すると、印刷装置制御部３０は、ステップＳＢ５の
個数情報取得処理で取得部３０ａが取得した個数情報の値に対応する枚数を、処理対象商
品の販売価格に関する情報を印刷するラベルＲ１の枚数として決定する。ここで、個数情
報の値は、店頭で展示された処理対象商品の個数である。従って、個数情報の値に対応す
る枚数を、処理対象商品の販売価格に関する情報を印刷するラベルＲ１の枚数として決定
することにより、店頭で展示された処理対象商品の個数分のラベルＲ１を、過不足なく、
発行できる。
【００６８】
また、印刷装置制御部３０は、変更後販売価格情報、及び、付加情報を、所定のレイア
ウトに従ってラベルＲ１に印刷する。付加情報は、処理対象商品の名称を示す情報や、処
理対象商品の型番を示す情報、処理対象商品の商品コードが記録されたバーコード、顧客
に対するメッセージ、その他のラベルＲ１を値札として機能させるために必要な情報であ
る。さらに、付加情報は、価格管理サーバー１５を介してサービスを提供する主体（例え
ば、管理サーバー１５を運営する会社。）に関する情報を含む。付加情報に、価格管理サ
ーバー１５を介してサービスを提供する主体に関する情報が含まれることにより、商品や
商品に頒布されたラベルＲ１を視認する顧客は、処理対象商品の価格が他の店舗よりも安
いことについての根拠を認識することができ、処理対象商品の価格について、安心感を得
ることができる。付加情報の一部は、印刷装置記憶部３２に記憶されており、印刷装置制
御部３０は、印刷装置記憶部３２に記憶された付加情報の一部を取得する。また、付加情
報の他の一部は、ＰＯＳサーバー１３が管理しており、印刷装置制御部３０は、ＰＯＳサ
ーバー１３と通信して、付加情報の他の一部を取得する。
【００６９】
図９は、ラベルＲ１に印刷される情報の一例を示す図である。
図９の例では、ラベルＲ１に、顧客に対するメッセージＭ１が印刷される。また、ラベ
ルＲ１に、処理対象商品の名称を示す情報Ｍ２と、処理対象商品の型番を示す情報Ｍ３が
印刷される。また、ラベルＲ１に、変更後価格情報Ｍ４が印刷される。また、ラベルＲ１
に、処理対象商品の商品コードが記録されたバーコードＭ５が印刷される。また、ラベル
Ｒ１に、価格管理サーバー１５を介してサービスを提供する主体を示す情報Ｍ６が印刷さ
れる。
【００７０】
ステップＳＢ７の処理により、印刷装置１２により、個数情報の値に対応する枚数分の
ラベルが発行される。各ラベルＲ１には、処理対象商品の販売価格に関する情報が印刷さ
れており、各ラベルは、値札として機能する。
店員は、発行されたラベルＲ１のそれぞれを、店頭で展示された処理対象商品、又は、
処理対象商品の包装に貼付することにより、処理対象商品の変更後の価格を顧客に明示で
きる。また、貼付されたラベルＲ１には、商品コードが記録されたバーコードが印刷され
ているため、会計時に利用することができる。
ステップＳＢ７でラベルＲ１に印刷される情報は、「取得部３０ａが取得した第１価格
、及び第２価格の比較結果に基づく情報」に相当する。
【００７１】
ステップＳＢ７の処理後、印刷装置制御部３０は、印刷装置ローカルネットワーク通信
部３３を制御して、以下の制御コマンドをＰＯＳサーバー１３に送信する（ステップＳＢ
８）。制御コマンドは、所定の命令コードと、処理対象商品の商品識別情報Ｊ１と、変更
後販売価格情報とを含み、商品マスター１３ａで商品識別情報Ｊ１と対応付けられた販売
価格を示す情報の値を、変更後販売価格情報の値により更新することを指示する制御コマ
ンドである。ＰＯＳサーバー１３は、当該制御コマンドを受信した場合、制御コマンドに
基づいて、商品マスター１３ａで当該制御コマンドに含まれる商品識別情報Ｊ１と対応付
けられた販売価格を示す情報の値を、当該制御コマンドに含まれる変更後販売価格情報の
値により更新する。これにより、商品マスター１３ａにおいて、処理対象商品に対応する
レコードが有する販売価格を示す情報が、変更後販売価格情報に書き換わる。
【００７２】
次いで、印刷装置制御部３０は、登録された目玉商品の全てについて、処理対象商品と
したか否かを判別する（ステップＳＢ９）。
全ての目玉商品について処理対象商品とした場合（ステップＳＢ９：ＹＥＳ）、印刷装
置制御部３０は、対応処理を終了する。
１つでも処理対象商品としていない目玉商品がある場合（ステップＳＢ９：ＮＯ）、印
刷装置制御部３０は、処理手順をステップＳＢ１へ戻す。
【００７３】
以上説明したように、本実施形態に係る印刷装置１２は、ラベルＲ１が貼付されたラベ
ル用紙Ｒ（印刷媒体）に印刷する印刷部３１と、店舗システム１１が適用されるＡ店（第
１店舗）で販売される商品の商品識別情報Ｊ１（商品に関する情報）を記憶する印刷装置
記憶部３２（記憶部）と、Ａ店で販売される商品の価格であるＡ店販売価格情報（第１価
格）、及び、Ａ店で販売され、かつＢ店〜Ｅ店（第２店舗）で販売される商品の価格であ
る最安販売価格情報（第２価格）を取得する取得部３０ａと、取得部３０ａが取得したＡ
店販売価格情報、及び最安販売価格情報を比較し、比較結果に基づく情報を印刷部３１に
よりラベルＲ１に印刷させる印刷装置制御部３０（制御部）と、を備える。
この構成によれば、印刷装置１２により、Ａ店で販売される商品の価格と、Ｂ店〜Ｅ店
で販売される商品の価格との比較に基づいて、比較結果に基づく情報が、自動で、ラベル
Ｒ１に印刷される。このため、ラベルＲ１を商品に貼付するという簡易な作業を行うだけ
で、Ａ店における販売価格と、Ｂ店〜Ｅ店における販売価格との比較結果を簡易に反映で
きる。
【００７４】
また、本実施形態では、印刷装置制御部３０は、設定に応じて、Ａ店販売価格情報と比
較して最安販売価格情報の方が低い場合は、比較結果に基づく情報として、最安販売価格
情報を印刷部３１によりラベルＲ１に印刷させる。
この構成によれば、印刷装置１２は、１の商品について、Ａ店における販売価格よりも
、他の店舗における販売価格の方が低い場合、他の店舗における販売価格を示す情報をラ
ベルＲ１に印刷する。このラベルＲ１を商品、又は、商品の包装に貼付することにより、
当該１の商品について、他の店舗における販売価格と同一の価格であることを明示でき、
また、他の店舗における販売価格と同一の販売価格で販売できる。
【００７５】
また、本実施形態では、印刷装置制御部３０は、Ａ店販売価格情報と比較して最安販売
価格情報の方が低い場合は、比較結果に基づく情報として、最安販売価格情報よりも低い
価格を示す情報を印刷部３１によりラベルＲ１に印刷させる。
この構成によれば、印刷装置１２は、１の商品について、Ａ店における販売価格よりも
、他の店舗における販売価格の方が低い場合、他の店舗における販売価格よりも低い価格
を示す情報をラベルＲ１に印刷する。このラベルＲ１を商品、又は、商品の包装に貼付す
ることにより、当該１の商品について、他の店舗における販売価格よりも低い価格である
ことを明示でき、また、他の店舗における販売価格よりも低い販売価格で販売できる。
【００７６】
また、本実施形態では、取得部３０ａは、Ａ店で販売される商品について、Ａ店の店頭
で展示されている商品の個数を示す個数情報を取得する。印刷装置制御部３０は、比較結
果に基づく情報を印刷部３１によりラベルＲ１に印刷させる際、取得部３０ａが取得する
個数情報が示す個数に対応する枚数のラベルＲ１を印刷させる。
この構成によれば、印刷装置１２は、Ａ店で展示されている商品の個数に対応する枚数
分のラベルを過不足なく発行できる。
【００７７】
また、本実施形態では、取得部３０ａは、Ａ店が営業している時間帯に、Ａ店販売価格
情報、及び、最安販売価格情報を取得する。
この構成によれば、不必要に、Ａ店販売価格情報、及び、最安販売価格情報を取得する
処理が実行されることを防止できる。
【００７８】
また、本実施形態では、印刷装置１２は、商品マスター１３ａ、及び、価格管理サーバ
ー１５と接続可能に構成される。取得部３０ａは、商品マスター１３ａからＡ店販売価格
情報を取得し、価格管理サーバー１５から最安販売価格情報を取得する。印刷装置制御部
３０は、Ａ店販売価格情報と最安販売価格情報との比較結果に基づいて、商品マスター１
３ａに記憶されたＡ店販売価格情報を更新する。
この構成によれば、Ａ店販売価格情報と最安販売価格情報との比較結果を、的確に、商
品マスター１３ａに反映できる。
【００７９】
また、本実施形態では、印刷装置制御部３０は、Ａ店販売価格情報と最安販売価格情報
との比較結果に基づく情報に加えて、取得部３０ａが最安販売価格情報を取得する際に通
信した価格管理サーバー１５に関する情報を印刷部３１によりラベルＲ１に印刷させる。
この構成によれば、ラベルＲ１を視認する顧客は、ラベルに印刷された情報の根拠を認
識することができ、安心感を得ることができる。
【００８０】
また、本実施形態に係る印刷装置１２には、バーコードスキャナーＢＲが接続可能に構
成される。印刷装置制御部３０は、バーコードスキャナーＢＲによるバーコードの読み取
りに応じて、バーコードに含まれる商品を識別する商品識別情報Ｊ１を取得し、商品識別
情報Ｊ１に基づいて商品に関する情報を印刷装置記憶部３２に記憶させる。
この構成によれば、ユーザーは、バーコードスキャナーＢＲによりバーコードを読み取
るという簡易な作業で、商品に関する情報（商品識別情報Ｊ１）を、印刷装置記憶部３２
に記憶させることができる。
【００８１】
なお、上述した実施の形態は、あくまでも本発明の一態様を示すものであり、本発明の
範囲内で任意に変形および応用が可能である。
例えば、上述した実施形態では、取得部３０ａは、処理対象商品について、価格管理サ
ーバー１５から、Ｂ店〜Ｅ店のうち、最も低い販売価格の情報を取得していた。この点に
関し、取得部３０ａが、Ｂ店〜Ｅ店のそれぞれの販売価格を示す情報を取得する構成でも
よい。この場合、印刷装置制御部３０は、処理対象商品のＡ店における販売価格と、Ｂ店
〜Ｅ店のそれぞれの販売価格とを比較し、比較結果に基づいて対応する処理を実行する。
また例えば、上述した実施形態において、取得部３０ａが、ＰＯＳサーバー１３に問い
合わせることによって取得した情報を、印刷装置記憶部３２が記憶し、取得部３０ａが印
刷装置記憶部３２から取得する構成でもよい。
また、上述した実施形態では、印刷装置１２は、目玉商品について、他の店舗の販売価
格との関係で、販売価格を調整したが、販売価格を調整する対象となる商品は目玉商品に
限らない。
また、図を用いて説明した各機能ブロックはハードウェアとソフトウェアにより任意に
実現可能であり、特定のハードウェア構成を示唆するものではない。
【符号の説明】
【００８２】
１…印刷システム、１２…印刷装置、１３…ＰＯＳサーバー、１３ａ…商品マスター、
１３ｂ…在庫管理データベース、１５…価格管理サーバー、３０…印刷装置制御部、３０
ａ…取得部、３１…印刷部、３２…印刷装置記憶部、３２ａ…対象商品管理データベース
、３３…印刷装置ローカルネットワーク通信部、３４…印刷装置グローバルネットワーク
通信部、３５…デバイス通信部、４０…サーバー制御部、４１…サーバーグローバルネッ
トワーク通信部、４２…サーバー記憶部、４２ａ…価格管理データベース、ＢＲ…バーコ
ードスキャナー。
【図１】
2018088032.tif 000003
【図２】
2018088032.tif 000004
【図３】
2018088032.tif 000005
【図４】
2018088032.tif 000006
【図５】
2018088032.tif 000007
【図６】
2018088032.tif 000008
【図７】
2018088032.tif 000009
【図８】
2018088032.tif 000010
【図９】
2018088032.tif 000011